(57)【要約】  戸開閉装置を戸や枠にしっくりと位置決めすることができる戸開閉装置を提供する。  戸開閉装置１は、戸又は枠のいずれか一方に取り付けられる本体ケース２と、本体ケース２に可動可能に設けられ、戸又は枠の他方に取り付けられる受具８と協働して戸の開き動作及び閉じ動作の少なくとも一方の動作をアシストする力を発揮する可動体４と、を備える。本体ケース２は、直方体形状に形成され、戸又は枠のいずれか一方に取り付けられる底面２ｄを有する。本体ケース２の側面２ａ，２ｂには、少なくとも一つの突起部１０，１１が設けられる。
2011142046.tif 000002
【特許請求の範囲】
【請求項１】
戸の開き動作及び閉じ動作の少なくとも一方をアシストする戸開閉装置であって、
戸又は枠のいずれか一方に取り付けられる本体ケースと、
前記本体ケースに可動可能に設けられ、戸又は枠の他方に取り付けられる受具と協働する可動体と、を備え、
前記本体ケースは、直方体形状に形成されると共に、戸又は枠のいずれか一方に取り付けられる底面を有し、
前記本体ケースの側面には、少なくとも一つの突起部が設けられる戸開閉装置。
【請求項２】
前記本体ケースは、一方向に細長い直方体形状に形成されると共に、長辺側の側面及び短辺側の側面を有し、
前記本体ケースの前記長辺側の側面には、前記本体ケースの長手方向に間隔を空けて少なくとも二つの突起部が設けられることを特徴とする請求項１に記載の戸開閉装置。
【請求項３】
前記本体ケースの前記短辺側の側面には、少なくとも一つの突起部が設けられることを特徴とする請求項２に記載の戸開閉装置。
【請求項４】
前記戸開閉装置はさらに、
前記本体ケースを覆うカバーを備え、
前記本体ケースを戸又は枠のいずれか一方に取り付けた状態で、前記カバーを前記本体ケースに嵌めることができるように、前記カバーの肉厚は、前記本体ケースの突起部の突出量以下であることを特徴とする請求項１ないし３のいずれかに記載の戸開閉装置。
【請求項５】
前記カバーには、前記突起部に対応した溝が形成されることを特徴とする請求項４に記載の戸開閉装置。
【請求項６】
前記カバーには、前記本体ケースに係合可能な弾性爪が設けられ、
前記カバーは、前記弾性爪によって前記本体ケースに着脱可能に取り付けられることを特徴とする請求項４又は５に記載の戸開閉装置。
【発明の詳細な説明】
【技術分野】
【０００１】
本発明は、建築物や家具の開き戸、引き戸等の戸の開閉動作をアシストする戸開閉装置に関する。
【背景技術】
【０００２】
建築物や家具の戸は、開き戸（扉）、引き戸等に分類することができる。開き戸は、回転させて開くしかけの戸である。引き戸は、鴨居や敷居から構成される枠の溝を滑らせて、左右に開閉する戸である。【０００３】
これらの戸の開閉動作をアシストするために戸開閉装置が設けられる。戸開閉装置は、戸、又は戸を囲む枠のいずれか一方に取り付けられる。そして、戸開閉装置は、戸又は枠の他方に取り付けられる受具と協働して、風等で戸が勢いよく閉められるときの衝撃を緩和したり、閉まりきらない状態の戸を完全に閉まるようにしたりする。【０００４】
特許文献１には、扉を開閉する戸開閉装置が開示されている。扉の枠には、戸開閉装置が取り付けられる。扉には、受具が取り付けられる。戸開閉装置は、受具が係合するアームを有する。扉が閉まり、受具がアームに係合すると、アームが自動的に回転し、アームが扉を引き込み位置まで引き込む。アームが扉を引き込む力は、コイルばねに起因する。戸開閉装置内には、アームに作用して扉が閉まるときの衝撃を緩和するダンパが設けられる。【０００５】
戸開閉装置を枠や戸に取り付けるとき、戸開閉装置を枠や戸に位置決めする必要がある。従来、戸開閉装置の側面を枠や戸の突当て面に突き当て、戸開閉装置を突当て面に平行に位置決めしていた。
【先行技術文献】
【特許文献】
【０００６】
【特許文献１】特開２００９−２８７２３７号公報
【発明の概要】
【発明が解決しようとする課題】
【０００７】
しかし、枠や戸の突当て面は、必ずしも完全な平面ではなく、木材の反り等によって曲面になっている場合もある。突当て面が戸開閉装置に向かって凸の曲面になっていると、戸開閉装置を突当て面に突き当てても、がたついて位置決めできなくなる。また、戸開閉装置を枠のコーナーに取り付ける場合、戸開閉装置及び枠の直角度が出ていないと、戸開閉装置と枠との間にすきまが発生し、戸開閉装置を枠にしっくりと位置決めできないという問題が発生する。【０００８】
そこで本発明は、戸開閉装置を戸や枠にしっくりと位置決めすることができる戸開閉装置を提供することを目的とする。
【課題を解決するための手段】
【０００９】
上記課題を解決するために、本発明の一態様は、戸の開き動作及び閉じ動作の少なくとも一方をアシストする戸開閉装置であって、戸又は枠のいずれか一方に取り付けられる本体ケースと、前記本体ケースに可動可能に設けられ、戸又は枠の他方に取り付けられる受具と協働する可動体と、を備え、前記本体ケースは、直方体形状に形成されると共に、戸又は枠のいずれか一方に取り付けられる底面を有し、前記本体ケースの側面には、少なくとも一つの突起部が設けられる戸開閉装置である。
【発明の効果】
【００１０】
本発明によれば、本体ケースの側面に少なくとも一つの突起部を設けるので、枠や戸の突当て面が完全な平面に形成されていなくても、本体ケースの突起部を突当て面に突き当てることができる。したがって、本体ケースを枠や戸にしっくりと位置決めすることができる。
【図面の簡単な説明】
【００１１】
【図１】戸開閉装置とその周辺の斜視図（図中（ａ）は扉が閉じた状態を示し、（ｂ）は扉が開き始めた状態を示す）
【図２】戸開閉装置の斜視図
【図３】戸開閉装置を上方側から見た斜視図
【図４】カバーの斜視図
【図５】カバーを取り付けた戸開閉装置の斜視図
【図６】戸開閉装置の分解斜視図
【図７】戸開閉装置の動作図（図中（ａ）は引込みアームが開いた状態を示し、図中（ｂ）は引込みアームが閉じ方向に回転した状態を示し、図中（ｃ）は引込みアームが閉じた状態を示す）
【図８】受具の分解斜視図
【図９】戸開閉装置を枠のコーナーに取り付けた例を示す図（図中（ａ）はカバー無の状態を示し、図中（ｂ）はカバー有の状態を示す）
【発明を実施するための形態】
【００１２】
以下添付図面に基づいて、本発明の一実施形態における戸開閉装置を詳細に説明する。この戸開閉装置１は、扉の開閉動作をアシストするのに用いられる。図１は、戸開閉装置を枠に設置した場合の外観図を示す。図中（ａ）は扉が閉じた状態を示し、（ｂ）は扉が開き始めた状態を示す。
【００１３】
戸開閉装置１の本体ケース２は枠の上面ａに取付けられる。本体ケース２は、枠の戸当たりに沿って細長く伸びる直方体形状に形成される。本体ケース２の底面（この図１では本体ケース２の上面）が枠の上面ａに取り付けられる。本体ケース２の長辺側の側面２ａは戸当たりｆと対向しており、短辺側の側面２ｂは枠側面ｂと対向している。
【００１４】
扉ｄの側面には、受具８が取付けられる。本体ケースには、可動体としての引込みアーム４が回転可能に設けられる。引込みアーム４のスライド突起部４ｂ（図２参照）は、受具８に備えられた溝部８ａ内に嵌合しながらスライドする。このため、扉ｄの開閉により引込みアーム４が回転して、扉ｄの開閉動作がアシストされる。
【００１５】
扉ｄを軽く閉めると、扉ｄが閉まりきらないときがある。扉ｄを軽く閉めても、受具８の溝部８ａに引込みアーム４の先端のスライド突起部４ｂが溝部８ａに嵌まると、戸開閉装置１が作動することによって、扉ｄが自動的に閉まる。また、風等で開いた扉ｄが勢いよく閉められたりするとき、戸開閉装置１は、扉ｄに発生する衝撃を緩和し、扉ｄがゆっくり閉まるようにする。
【００１６】
図２は、戸開閉装置１の分解斜視図を示す。本体ケース２の底面２ｄと対向する上面２ｃ（この図では下面）には、アーム軸穴３が形成される。このアーム軸穴３にアーム軸５の嵌合孔５ａが露出していて、この嵌合孔５ａに引込みアーム４の嵌合軸４ａが嵌合する。引込みアーム４は、アーム軸５を中心として水平方向に回転可能である。本体ケース２の内部には、扉が自動的に閉まるように引込みアーム４に付勢力を与える付勢機構、及び扉がゆっくり閉まるように引込みアーム４の回転を制動するダンパ機構が収納されている。本体ケース２には、二つの通し孔７が空けられている。二つの通し孔７に木ねじ、止めねじ等締結部材９を通し、締結部材９を枠にねじ込むことにより、本体ケース２が枠に取り付けられる。本体ケース２は、カバー６で覆われる。カバー６の構造については後述する。
【００１７】
図３は、戸開閉装置１を上方側から見た斜視図を示す。細長い直方体形状の本体ケース２は、枠に取り付けられる底面２ｄ（この図では上面）、一対の長辺側の側面２ａ、一対の短辺側の側面２ｂ、底面２ｄと対向する上面２ｃ（この図では下面）を有する。本体ケース２の一対の長辺側の側面２ａのうちの一方には、長手方向に間隔を空けて二つの突起部１０が設けられる。この実施形態では、側面２ａの長手方向の両端部に二つの突起部１０が設けられる。二つの突起部１０は本体ケース２の高さ方向の中央に配置される。突起部は樹脂製であり、後述するダンパベース３９及びばねベース１８に一体に形成される（図６参照）。突起部１０の外形は直方体形状である。
【００１８】
本体ケース２の短辺側の側面２ｂにも、その短辺方向の中央部に一つの突起部１１が設けられる。一つの突起部１１は本体ケース２の高さ方向の中央に配置される。突起部１１は樹脂製であり、後述するダンパベース３９に一体に形成される（図６参照）。
【００１９】
図４は、カバー６の斜視図を示す。カバー６は、本体ケース２の上面２ｃを覆う底壁６ｃ、本体ケース２の一対の長辺側の側面２ａを覆う一対の長辺側の側壁６ａ、本体ケース２の一対の短辺側の側面２ｂを覆う一対の短辺側の側壁６ｂと、を有し、全体が箱形状に形成される。カバー６は樹脂の成型品である。カバー６の底壁６ｃには、引込みアーム４の回転を許容する半円形状の切欠き６ｅが形成される。カバー６の短辺側の側壁６ｂ及び長辺側の側壁６ａには、本体ケース２の三つの突起部１０，１１に対応する三つの溝１２，１３が形成される。溝１２，１３は側壁６ａ，６ｂの上端に解放している。側壁６ａ，６ｂの厚さは、本体ケース２の突起部１０，１１の側面２ａ，２ｂからの突出量以下、望ましくは突出量未満である。
【００２０】
カバー６の一対の長辺側の側壁６ａそれぞれの内側には、その上端部に長手方向に間隔を空けて二つの弾性爪２０が形成される。弾性爪２０は側壁６ａの上端に向かって徐徐に幅が狭くなるテーパ形状に形成される。弾性爪２０は、本体ケース２の長辺側の側面２ａに形成された切欠き２ｈ（図６参照）に着脱可能に嵌まる。
【００２１】
カバー６を本体ケース２に取り付ける際、カバー６を本体ケース２の外側に嵌め、カバー６を本体ケース２に向かって押し込む。このとき、テーパ形状の弾性爪２０が本体ケース２の側面２ａに接触することにより、弾性爪２０の厚さ分だけカバー６が外側に広がる。弾性爪２０が切欠き部２ｈの位置まで移動すると、カバー６は元の大きさに戻るため、弾性爪２０が切欠き部２ｈに係合し、カバー６が本体ケース２から落下しないようになる。カバー６には、本体ケース２の三つの突起部１０，１１に対応した三つの溝１２，１３が形成されるので、カバー６は本体ケース２の突起部１０，１１に引っ掛かることはない。
【００２２】
図５は、本体ケース２にカバー６を取り付けた状態を示す。本体ケース２の三つの突起部１０，１１はカバー６の三つの溝１２，１３に嵌まる。突起部１０，１１の突出量はカバー６の肉厚以上であるので、カバー６を本体ケース２に取り付けた状態でも突起部１０，１１はカバー６から外側に僅かに突出する。
【００２３】
図２に示すように、本体ケース２は締結部材９により枠の上面に取り付けられるので、本体ケース２の下面側には、締結部材９のねじ頭が見えてしまい、見栄えが悪くなる。締結部材９のねじ頭を隠すために、カバー６が取り付けられる。
【００２４】
図６は、本体ケース２の内部の部品の分解斜視図を示す。本体ケース２には、引込みアーム４の一部をなすアームブロック２１、扉ｄが開く方向又は閉じる方向のトルクを与える付勢機構２２、扉ｄが閉じるときの衝撃を緩和するダンパ機構２３が収納される。アームブロック２１は、本体ケース２の長さ方向の中央部に配置される。付勢機構２２は、本体ケース２の長さ方向の一方の側に配置され、ダンパ機構２３は、アームブロック２１を挟んで本体ケース２の長さ方向の反対側に配置される。
【００２５】
各部品の概略の構造は以下のとおりである。本体ケース２は、上面２ｃを構成する底板部と、一対の側面２ａを構成する側板部と、を有する。本体ケース２の断面形状は、コの字形状に形成される。本体ケース２の上面及び長さ方向の両端面には、部品を組み込むための開口２４ａ，２４ｂが形成される。また、本体ケース２の底板部には、引込みアーム４を嵌合させる嵌合孔５ａを出没させるためのアーム軸穴３が形成される。この本体ケース２は、薄板を曲げ加工する板金により製造される。本体ケース２は、底面２ｄを構成するケース蓋１４により覆われる。
【００２６】
アームブロック２１は、構造上及び組立上、中心になる部品である。アームブロック２１は、その中央に円筒形状をなしたアーム軸５を有する。アーム軸５は、その中央に略矩形形状の孔をなした嵌合孔５ａを有する。アーム軸５の周りには第一のリンク軸２６及び第二のリンク軸２７を挿入する孔が、アーム軸５の中心から偏心した位置に空けられている。アームブロック２１の上側及び下側の両端には、軸受けプレート４３が備えられている。軸受けプレート４３に空けられた孔に、アーム軸５の外周部が挿入されており、アームブロック２１は軸受けプレート４３に対して回転可能である。軸受けプレート４３は、本体ケース２及びケース蓋１４に空けられたアームベース取付け孔２ｆ、１４ａにリベットを通して固定される。
【００２７】
図２に示すように、アームブロック２１には、引込みアーム本体１９が取り付けられる。引込みアーム本体１９は、回転軸部に該矩形形状の嵌合軸４ａを有して、アームブロックの嵌合孔５ａに嵌められる。図６に示すように、アームブロック２１には、アーム軸５の中心から偏心した位置に第一及び第二のリンク軸２６，２７が挿入される。第一のリンク軸２６には、付勢機構２２の圧縮コイルばね２８の力が常に加わっている。この圧縮コイルばね２８のばね力によって、アームブロック２１を介して引込みアーム４に扉ｄを引き込む力が働く。第二のリンク軸２７には、ダンパ機構２３のスライドブロック３１が連結される。引込みアーム４が閉じる方向に回転するとき、スライドブロック３１はダンパ３２のロッド３２ａの頭部を押す。このため、引込みアーム４が閉じる方向に素早く回転しようとしても、ダンパ３２が引込みアーム４の回転を制動する。
【００２８】
各部品の詳細の構造は以下のとおりである。図６に示すように、付勢機構２２は、上記第一のリンク軸２６、第一のリンク３３、ばね連結軸３６、スライドばねケース３４、圧縮コイルばね２８、ばね受具３５、ばね受具３５の位置を調整する位置調整手段、及びばねベース１８から構成される。ばねベース１８には、前述の突起部１０（図示せず）が一体に形成される。位置調整手段は、調整プレート１６、調整ねじ４０、及び調整ナット１７から構成される。
【００２９】
スライドばねケース３４は、本体ケース２の長手方向に直線運動可能であり、スライドばねケース３４の直線運動は本体ケース２の内壁面によって案内される。スライドばねケース３４は、引込みアーム４の回転と連動して長手方向に直線運動する。本体ケース２には、スライドばねケース３４の直線運動を案内すると共にスライドばねケースの所定以上のストロークを制限する爪２ｇが形成される。
【００３０】
第一のリンク３３は、アームブロック２１及びスライドばねケース３４に回転可能に連結される。アームブロック２１のアーム軸５から偏心した位置には２つの孔が空けられている。一方の孔と第一のリンク３３に、第一のリンク軸２６を上から貫通させることにより、アームブロック２１に第一のリンク３３が連結される。第一のリンク３３の他方の端部には、ばね連結軸３６が嵌め込まれる。このばね連結軸３６を介して第一のリンク３３にスライドばねケース３４が連結される。
【００３１】
スライドばねケース３４には、圧縮コイルばね２８の径よりも僅かに大きな穴が空けられていて、この穴内に圧縮コイルばね２８が入る。圧縮コイルばね２８は、スライドばねケース３４をアームブロック２１に向かって付勢する。圧縮コイルばね２８を介してスライドばねケース３４の反対側には、圧縮コイルばね２８の径よりも僅かに大きな穴が空けられたばね受具３５が配置される。スライドばねケース３４とばね受具３５との間で圧縮コイルばね２８が圧縮される。ばね受具３５には、圧縮コイルばね２８と反対側に調整プレート１６が備えられる。圧縮コイルばね２８による付勢力は、調整プレート１６及び調整ねじ４０を介して、最終的にばねベース１８に受け止められる。ばねベース１８は、本体ケース２の端部にリベットやビス等を使用して固定される。ばねベース１８及びケース蓋１４には、ばねベース１８を結合するための取付け孔１８ａ，１４ｂが空けられる。
【００３２】
ばね受具３５は、調整ナット１７によりばねベース１８に取付けられた、調整ねじ４０を回転させることにより本体ケース２の長手方向の位置を調整可能であり、これにより圧縮コイルばね２８による付勢力を調整することができる。
【００３３】
ダンパ機構２３は、第二のリンク軸２７、第二のリンク１５、ダンパ連結軸２５、スライドブロック３１、ダンパ３２、及びダンパベース３８から構成される。ダンパベース３８には、前述の突起部１０，１１（図示せず）が一体に形成される。
【００３４】
スライドブロック３１は、本体ケース２の長手方向に直線運動可能であり、スライドばねケース３４の直線運動は本体ケース２の内壁面によって案内される。スライドブロック３１は、引込みアーム４の回転と連動して長手方向に直線運動する。
【００３５】
第二のリンク１５は、アームブロック２１及びスライドブロック３１に回転可能に連結される。アームブロック２１のアーム軸５から偏心した位置に空けられている２つの孔のうち、第一のリンク軸２６が貫通している孔と別の孔に、第二のリンク軸２７を上から第二のリンク１５に貫通させることにより、アームブロック２１に第二のリンク１５が連結される。第二のリンク１５の他方の端部には、ダンパ連結軸２５が嵌め込まれる。このダンパ連結軸２５を介して第二のリンク１５にスライドブロック３１が連結される。
【００３６】
ダンパ３２には、本体部３２ｂに対してロッド３２ａがストロークする伸縮式のダンパ３２が用いられる。ロッド３２ａが本体部３２ｂに対して縮むとき、ロッド３２ａの動きに抵抗するダンパ力が発生する。この例では、二本のダンパ３２を左右に組み合わせて使用している。
【００３７】
本体ケース２及びケース蓋１４の端部には、リベットやビス等を使用してダンパベース３８が結合される。ダンパベース３８及びケース蓋１４には、ダンパベース３８を結合するための取付け孔３８ａ，１４ｃが空けられる。ダンパベース３８は、ダンパ３２の押えとして機能する。
【００３８】
戸開閉装置１の動きは以下のとおりである。図７（ａ）に示すように、引込みアーム４は開いた状態から、図７（ｃ）に示すように、閉じた状態まで回転する。引込みアーム４が開いた状態では、付勢機構２２の圧縮コイルばね２８のばね力によって、引込みアーム４にはさらに開く方向のトルクが付与される。このため、引込みアーム４は開いた状態を保つ。圧縮コイルばね２８のばね力に抗して、引込みアーム４を閉じる方向に回転させると、付勢機構２２の思案点に到達する。付勢機構２２の思案点を過ぎると、圧縮コイルばね２８のばね力によって、引込みアーム４には閉じる方向のトルクが付与される。このため、扉ｄを自動的に閉めることが可能になる。また、引込みアーム４の閉じる方向への回転に伴い、スライドブロック３１がダンパ３２のロッド３２ａの頭部を押す。このため、引込みアーム４をゆっくり回転させることが可能になる。
【００３９】
図７（ｃ）に示す閉じた状態の扉ｄを開くとき、引込みアーム４を反時計方向に回転させる。図７（ｂ）に示すように、付勢機構２２の思案点を過ぎると、圧縮コイルばね２８のばね力によって、引込みアーム４に開く方向のトルクが付与される。
【００４０】
図８は、受具８の分解図を示す。受具８は、取付けステー８１、受具本体８０、及び受具カバー８２と、を備える。取付けステー８１が扉ｄに固定される。取付けステー８１には、水平方向に細長い長孔８８ａが形成される。取付けステー８１は木ねじ、止めねじ等の締結部材８４により扉ｄに固定される。取付けステー８１の水平方向の位置は、長孔８８ａの長さ内で調節される。受具本体８０は、受具取付けねじ８３と受具取付けナット８５により、長孔８１ａを通して取付けステー８１に固定される。受具本体８０と取付けステー８１との接触面にはぎざぎざ（図中黒く塗りつぶした部分）が付けられる。長孔８１ａにより受具本体８０は扉ｄに対して上下方向に取付け位置を調整することができる。受具カバー８２は受具本体８０に嵌合する。受具カバー８２には、受具本体８０の溝部８０ａよりもやや大きい切欠き部８２ａを有しており、引込みアーム４の動きを妨げないようにしている。
【００４１】
図９（ａ）は、戸開閉装置１を枠のコーナーに取り付けた例を示す。図中（ａ）に示すように、戸開閉装置１の本体ケース２を枠上面ａのコーナーに取付ける際、本体ケース２の長辺側の二つの突起部１０を戸当りｆに押し付け、短辺側の一つの突起部１１を枠側面ｂに押し付ける。これにより、戸当たりｆの突当て面が滑らかな平面ではない場合でも、本体ケース２を枠上面ａのコーナーにしっくりと位置決めすることができる。枠上面ａのコーナーに本体ケース２を位置決めすることができたら、木ねじ等の締結部材９により本体ケース２を枠上面ａに固定する。
【００４２】
図９（ｂ）は、本体ケース２にカバー６を取り付けた状態を示す。図９（ａ）に示すように、本体ケース２の長辺側の側面２ａと戸当りｆとの間、及び本体ケース２の短辺側の側面２ｂと枠側面ｂとの間には、突起部１０，１１の高さ分のすきまｇ，ｈが空いている。このすきまｇ，ｈは、外観上気付きやすく見栄えが悪い。カバー６を取り付けることにより、上記すきまｇ，ｈがカバー６により埋められるので、外観上すっきりさせることができる。カバー６の側壁６ａ，６ｂの肉厚は、本体ケース２の突起部１０，１１の側面２ａ，２ｂからの突出量以下であり、カバー６には突起部に対応した溝１２，１３が形成されるので、本体ケース２を枠の上面に取り付けた後でも、カバー６を本体ケース２に装着することができる。
【００４３】
なお、本発明は上記実施形態に限られることはなく、本発明の要旨を変更しない範囲でさまざまに変更可能である。例えば戸開閉装置を戸側に取り付け、受具を枠側に取り付けてもよい。
【００４４】
長辺側の側面に設けられる突起部の個数は二個以上であればよく、側面の四隅に四個の突起部が設けられてもよい。戸開閉装置をコーナーに取り付けない場合には、短辺側の突起部を省略することができる。突起部はゴム製でもよく、本体ケースに接着されてもよい。
【００４５】
戸開閉装置の外形形状は、底面及び側面が存在する程度の直方体形状であればよく、その上面は曲面状に形成されてもよい。また、戸開閉装置は立方体形状に形成されてもよい。
【００４６】
カバーの溝は突起部の数に等しい数設けられなくてもよく、複数の突起部に対して一つの溝を設けてもよい。
【００４７】
本体ケースの内部部品の構造はさまざまに変更可能であり、例えばダンパ機構を省略することや、アームを回転させるリンク機構の替わりにラックアンドピニオン機構を用いることができる。引込みアームは本体ケースに対して回転しなくても、本体ケースに対して直線運動してもよい。
【００４８】
本明細書は、２０１０年５月１４日出願の特願２０１０−１１１７６７に基づく。この内容はすべてここに含めておく。
【符号の説明】
【００４９】
１…戸開閉装置
２…本体ケース
２ａ…本体ケースの長辺側の側面
２ｂ…本体ケースの短辺側の側面
２ｃ…本体ケースの上面
２ｄ…本体ケースの底面
４…引込みアーム（可動体）
６…カバー
８…受具
１０，１１…突起部
１２，１３…カバーの溝
２０…弾性爪
【図１】
2011142046.tif 000003
【図２】
2011142046.tif 000004
【図３】
2011142046.tif 000005
【図４】
2011142046.tif 000006
【図５】
2011142046.tif 000007
【図６】
2011142046.tif 000008
【図７】
2011142046.tif 000009
【図８】
2011142046.tif 000010
【図９】
2011142046.tif 000011
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
戸の開き動作及び閉じ動作の少なくとも一方をアシストする戸開閉装置であって、
戸又は枠のいずれか一方に取り付けられる本体ケースと、
前記本体ケースに可動可能に設けられ、戸又は枠の他方に取り付けられる受具と協働する可動体と、
前記本体ケースを覆うカバーと、を備え、
前記本体ケースは、直方体形状に形成されると共に、戸又は枠のいずれか一方に取り付けられる底面を有し、
前記本体ケースの側面には、少なくとも一つの突起部が設けられ、
前記カバーの肉厚は、前記本体ケースの突起部の突出量以下である戸開閉装置。
【請求項２】
戸の開き動作及び閉じ動作の少なくとも一方をアシストする戸開閉装置であって、
戸又は枠のいずれか一方に取り付けられる本体ケースと、
前記本体ケースに可動可能に設けられ、戸又は枠の他方に取り付けられる受具と協働する可動体と、
前記本体ケースを覆うカバーと、を備え、
前記本体ケースは、直方体形状に形成されると共に、戸又は枠のいずれか一方に取り付けられる底面を有し、
前記本体ケースの側面には、少なくとも一つの突起部が設けられ、
前記本体ケースを戸又は枠のいずれか一方に取り付けた状態で、前記カバーを前記本体ケースに嵌めることができるように、前記カバーの肉厚は、前記本体ケースの突起部の突出量以下である戸開閉装置。
【請求項３】
前記カバーには、前記突起部に対応した溝が形成されることを特徴とする請求項１又は２に記載の戸開閉装置。
【請求項４】
前記カバーには、前記本体ケースに係合可能な弾性爪が設けられ、
前記カバーは、前記弾性爪によって前記本体ケースに着脱可能に取り付けられることを特徴とする請求項１ないし３のいずれかに記載の戸開閉装置。
【手続補正２】
【補正対象書類名】明細書
【補正対象項目名】０００９
【補正方法】変更
【補正の内容】
【０００９】
上記課題を解決するために、本発明の一態様は、戸の開き動作及び閉じ動作の少なくとも一方をアシストする戸開閉装置であって、戸又は枠のいずれか一方に取り付けられる本体ケースと、前記本体ケースに可動可能に設けられ、戸又は枠の他方に取り付けられる受具と協働する可動体と、前記本体ケースを覆うカバーと、を備え、前記本体ケースは、直方体形状に形成されると共に、戸又は枠のいずれか一方に取り付けられる底面を有し、前記本体ケースの側面には、少なくとも一つの突起部が設けられ、前記カバーの肉厚は、前記本体ケースの突起部の突出量以下である戸開閉装置である。
本発明の他の態様は、戸の開き動作及び閉じ動作の少なくとも一方をアシストする戸開閉装置であって、戸又は枠のいずれか一方に取り付けられる本体ケースと、前記本体ケースに可動可能に設けられ、戸又は枠の他方に取り付けられる受具と協働する可動体と、前記本体ケースを覆うカバーと、を備え、前記本体ケースは、直方体形状に形成されると共に、戸又は枠のいずれか一方に取り付けられる底面を有し、前記本体ケースの側面には、少なくとも一つの突起部が設けられ、前記本体ケースを戸又は枠のいずれか一方に取り付けた状態で、前記カバーを前記本体ケースに嵌めることができるように、前記カバーの肉厚は、前記本体ケースの突起部の突出量以下である戸開閉装置である。
【国際調査報告】
2011142046.tif 000012
2011142046.tif 000013
2011142046.tif 000014
2011142046.tif 000015